(57)【要約】【課題】映像データを複数の記録媒体に分割して記録する場合に、分割された映像データを個別に再生する場合に、画像圧縮時の規格への適合や、再生時の欠落時間について考慮がなされておらず、正常に再生できないという課題がある。【解決手段】連続した映像データを、複数の記録媒体に跨って記録する映像記録装置１００であって、第１の記録媒体１５０への符号化データの記録時に、第１の記録媒体１５０上の符号化データ単体で再生可能な管理情報を生成し、連結管理情報とともに、記録する第１の管理情報制御部１５２と、第２の記録媒体１６０への符号化データの記録時に、第２の記録媒体１６０上の符号化データ単体で再生可能な管理情報を生成し、記録する第２の管理情報制御部１６２と、を備える。【選択図】図１
2012074756.tif 000002
【特許請求の範囲】
【請求項１】
連続した映像データを、複数の記録媒体に跨って記録する映像記録装置であって、
入力された映像データを符号化する符号化部と、
第１の記録媒体へのアクセスを制御する第１の媒体制御部と、
第２の記録媒体へのアクセスを制御する第２の媒体制御部と、
前記符号化部による符号化データを、前記第１の媒体制御部を用いて、第１の記録媒体に記録し、前記第１の記録媒体に記録された符号化データ以降の符号化データを、前記第２の媒体制御部を用いて、第２の記録媒体に記録するデータ制御部と、
前記第１の記録媒体への符号化データの記録時に、前記第１の記録媒体上の符号化データ単体で再生可能な第１の管理情報を生成し、前記第１の媒体制御部を用いて、前記第１の記録媒体に記録する第１の管理情報制御部と、
前記第２の記録媒体への符号化データの記録時に、前記第２の記録媒体上の符号化データ単体で再生可能な第２の管理情報を生成し、前記第２の媒体制御部を用いて、前記第２の記録媒体に記録する第２の管理情報制御部と、
前記第１の記録媒体に記録された符号化データと前記第２の記録媒体に記録された符号化データ間の関係を表す連結管理情報を生成し、前記第１の記録媒体及び前記第２の記録媒体の少なくとも何れかに記録する管理情報制御部と、
を備える映像記録装置。
【請求項２】
前記第１の管理情報制御部は、
前記第１の記録媒体上の符号化データ単体で再生可能な終了時間を、前記第１の管理情報の再生終了時間として記録し、
前記第２の管理情報制御部は、
前記第２の記録媒体上の符号化データ単体で再生可能な開始時間を、前記第２の管理情報の再生開始時間として記録する
請求項１に記載の映像記録装置。
【請求項３】
前記データ制御部は、
前記符号化データを構成するフレームが所定数まとまったグループの単位で、前記第１の記録媒体に記録する
請求項１又は２に記載の映像記録装置。
【請求項４】
前記管理情報制御部は、
前記第１の記録媒体上の符号化データと前記第２の記録媒体上の符号化データとを結合するにあたって、前記第１の記録媒体上の前記第１の管理情報、前記第２の記録媒体上の前記第２の管理情報、及び前記連結管理情報を基に、結合後の符号化データの管理情報を生成する
請求項１から３の何れかに記載の映像記録装置。
【請求項５】
前記管理情報制御部は、
前記結合後の管理情報を生成するにあたって、前記第１の記録媒体上の管理情報の再生終了時間、及び前記第２の記録媒体上の管理情報の再生開始時間を変更する
請求項４に記載の映像記録装置。
【請求項６】
第３の記録媒体へのアクセスを制御する第３の媒体制御部と、
前記結合した符号化データを前記第３の媒体制御部を用いて、前記第３の記録媒体に記録する第３のデータ制御部と、
前記第３の記録媒体への符号化データの記録時に、前記結合後の管理情報を、前記第３の媒体制御部を用いて、前記第３の記録媒体に記録する第３の管理情報制御部と、
を備える請求項４又は５に記載の映像記録装置。
【発明の詳細な説明】
【技術分野】
【０００１】
本発明は入力された映像データを記録する映像記録装置に関し、特に映像データを複数の記録媒体へ記録する映像記録装置に関するものである。
【背景技術】
【０００２】
デジタルビデオカメラは、近年、複数の記録媒体を有するものがあり、撮像した映像を、目的等に応じて異なる記録媒体に記録する。
【０００３】
特許文献１には、撮影によって取得した動画のデータを記録する媒体として、複数の記録媒体を使用できる電子カメラが開示されている、この電子カメラは、動画データの保存先として選択されている記録媒体の空き容量を検出する容量検出手段と、動画記録中に、前記選択されている記録媒体の空き容量が無くなると、動画データの保存先を別の記録媒体に切り替えて、当該別の記録媒体に動画データの記録を継続する記録制御手段と、動画撮影終了後に、複数の記録媒体に分かれて分割記録されている動画データを連結して一方の記録媒体に記録し直す統合処理を実施するか否かを問い合わせるメッセージを表示する表示手段と、を備える。これにより、動画撮影中に記録媒体の空き容量が無くなった場合でも、動画撮影の中断を回避することができ、貴重な撮影チャンスを逃さずに撮影することができる。
【特許文献１】特開２００７−１７４６９３号公報
【発明の開示】
【発明が解決しようとする課題】
【０００４】
しかしながら、上記電子カメラは、複数の記録媒体に記録された画像データを、外部から個別に参照し、再生する場合に、画像圧縮時の規格への適合や、再生時の欠落時間について考慮がなされておらず、さらに、それらを連続して再生および結合させる際に、個別に規格に適合させた結果、欠落時間が生じるという課題がある。
【課題を解決するための手段】
【０００５】
上記課題を解決するために、本発明の映像記録装置は、連続した映像データを、複数の記録媒体に跨って記録する映像記録装置であって、入力された映像データを符号化する符号化部と、第１の記録媒体へのアクセスを制御する第１の媒体制御部と、第２の記録媒体へのアクセスを制御する第２の媒体制御部と、前記符号化部による符号化データを、前記第１の媒体制御部を用いて、第１の記録媒体に記録し、前記第１の記録媒体に記録された符号化データ以降の符号化データを、前記第２の媒体制御部を用いて、第２の記録媒体に記録するデータ制御部と、前記第１の記録媒体への符号化データの記録時に、前記第１の記録媒体上の符号化データ単体で再生可能な第１の管理情報を生成し、前記第１の媒体制御部を用いて、前記第１の記録媒体に記録する第１の管理情報制御部と、前記第２の記録媒体への符号化データの記録時に、前記第２の記録媒体上の符号化データ単体で再生可能な第２の管理情報を生成し、前記第２の媒体制御部を用いて、前記第２の記録媒体に記録する第２の管理情報制御部と、前記第１の記録媒体に記録された符号化データと前記第２の記録媒体に記録された符号化データ間の関係を表す連結管理情報を生成し、前記第１の記録媒体及び前記第２の記録媒体の少なくとも何れかに記録する管理情報制御部と、を備える。
【発明の効果】
【０００６】
本発明の映像記録装置は、上記の構成により、複数の記録媒体に記録された画像データを個別に再生する場合に、それぞれの画像データは画像圧縮の規格に適合するとともに、それらを連続して再生および結合させる際に、欠落時間が生じずシームレスに復元することができる。
【発明を実施するための最良の形態】
【０００７】
以下、本発明の映像記録装置をビデオカメラ１００に適用した一実施の形態について、図面を用いて詳細に説明する。
（実施の形態１）
（１−１．構成）
図１は、本発明の実施の形態１にかかるビデオカメラ１００の構成を示すブロック図である。ビデオカメラ１００は、光学系１０１により形成された被写体像を撮像素子１０２で撮像する。撮像素子１０２で生成された画像データは、映像符号化部１１０で各種映像処理が施される。映像符号化部１１０で符号化された映像データは、内蔵メモリ１５０又はメモリカード１６０に格納される。ビデオカメラ１００は、ＵＳＢ等の外部インタフェースを介して、外部ＤＶＤ装置１７５と接続可能である。ビデオカメラ１００は、内蔵メモリ１５０又はメモリカード１６０に格納された映像データを、外部ＤＶＤ装置１７５上のＤＶＤ１７０にコピー可能であり、ＤＶＤ１７０に格納された映像データを、内蔵メモリ１５０又はメモリカード１６０にコピー可能である。以下、ビデオカメラ１００の構成を詳細に説明する。
【０００８】
光学系１０１は、対物レンズ、ズームレンズ、絞り、ＯＩＳ（Ｏｐｔｉｃａｌ  Ｉｍａｇｅ  Ｓｔａｂｉｌｉｚｅｒ）ユニット、フォーカスレンズ等を含む。光学系１０１は、被写体からの光を集光し、被写体像を形成する。
【０００９】
撮像素子１０２は、光学系１０１で形成された被写体像を撮像して、画像データを生成する。撮像素子１０２は、ＣＭＯＳイメージセンサー、若しくはＣＣＤイメージセンサーである。ＡＤコンバータ１０３は、撮像素子１０２で生成された画像データをデジタル信号に変換する。
【００１０】
映像符号化部１１０は、ＡＤコンバータ１０３からの映像データに対して圧縮符号化を施してストリームデータとする。例えば、ＭＰＥＧ−２や、Ｈ．２６４の規格に準拠した圧縮形式により映像データを圧縮する。但し、本発明は、ＭＰＥＧ−２や、Ｈ．２６４の形式の画像データに限定されない。ＭＰＥＧなどの圧縮符号化では、現在の映像フレームと過去や未来の映像フレームとの差分情報のみを符号化して圧縮効率を高めることが一般的に行われており、映像フレームの復号に際しては過去や未来の映像フレームの復号データを必要とする場合がある。
【００１１】
ストリームメモリ１２０は、映像符号化部１１０により符号化されたストリームデータを一旦蓄積する。
【００１２】
内蔵メモリ１５０は、機器に内蔵されたメモリであり、ストリームデータをファイル化したストリームファイルおよびストリームデータを管理する管理ファイルを記録する。内蔵メモリ１５０は、半導体メモリであってもよいし、ハードディスクであってもよい。
【００１３】
内蔵メモリ制御部１５１は、内蔵メモリ１５０の記録再生制御を行う。内蔵メモリ管理ファイル録再部１５２は、内蔵メモリ１５０に記録する管理ファイルを生成し、その記録再生を内蔵メモリ制御部１５１に指示する。内蔵メモリストリームファイル録再部１５３は、内蔵メモリ１５０に記録するストリームファイルを生成し、その記録再生を内蔵メモリ制御部１５１に指示する。
【００１４】
メモリカード１６０は、機器に外付けされる半導体メモリであり、フラッシュメモリや強誘電体メモリなどを内部に含み、ストリームデータをファイル化したストリームファイルおよびストリームデータを管理する管理ファイルを記録する。
【００１５】
メモリカード制御部１６１は、メモリカード１６０を着脱可能であり、機械的及び電気的にメモリカード１６０と接続可能である。メモリカード制御部１６１は、メモリカード１６０の記録再生制御を行う。メモリカード管理ファイル録再部１６２は、メモリカード１６０に記録する管理ファイルを生成し、その記録再生をメモリカード制御部１６１に指示する。メモリカードストリームファイル録再部１６３は、メモリカード１６０に記録するストリームファイルを生成し、その記録再生をメモリカード制御部１６１に指示する。
【００１６】
外部ＤＶＤ（Ｄｉｇｉｔａｌ  Ｖｅｒｓａｔｉｌｅ  Ｄｉｓｃ）装置１７５は、ビデオカメラ１００が備えるＵＳＢ等の外部インタフェースを用いて、ビデオカメラ１００と接続可能である。外部ＤＶＤ装置１７５は、着脱可能なＤＶＤ１７０と、ＤＶＤ制御部１７１を含む。ＤＶＤ１７０は、ＤＶＤメディアであり、ストリームデータをファイル化したストリームファイルおよびストリームデータを管理する管理ファイルを記録する。ＤＶＤ制御部１７１は、ＤＶＤ１７０の記録再生制御を行う。
【００１７】
ＤＶＤ管理ファイル録再部１７２及びＤＶＤストリームファイル録再部１７３は、外部インタフェース（図示せず）を通じて、外部ＤＶＤ装置１７５に対して各種の指示を行う。ＤＶＤ管理ファイル録再部１７２は、ＤＶＤ１７０に記録する管理ファイルを生成し、その記録再生をＤＶＤ制御部１７１に指示する。ＤＶＤストリームファイル録再部１７３は、ＤＶＤ１７０に記録するストリームファイルを生成し、その記録再生をＤＶＤ制御部１７１に指示する。
【００１８】
ストリームデータ制御部１３０は、ストリームメモリ１２０に蓄えられたストリームデータを、内蔵メモリ１５０およびメモリカード１６０の残量に応じて配分して、内蔵メモリストリームファイル録再部１５３およびメモリカードストリームファイル録再部１６３にストリームファイル化を指示し、その配分状況を管理データ制御部１４０に通知する。さらに、内蔵メモリ１５０およびメモリカード１６０からＤＶＤ１７０へのストリームファイルのコピーに際して、内蔵メモリストリームファイル録再部１５３およびメモリカードストリームファイル録再部１６３およびＤＶＤストリームファイル録再部１７３にストリームファイルのコピーを指示し、コピー結果を管理データ制御部１４０に通知する。
【００１９】
管理データ制御部１４０は、ストリームデータ制御部１３０により配分されたストリームデータそれぞれの再生可能範囲を抽出して、それぞれのストリームファイルの再生開始時刻および再生終了時刻をそれぞれ管理する管理データとして生成し、内蔵メモリ管理ファイル録再部１５２およびメモリカード管理ファイル録再部１６２およびＤＶＤ管理ファイル録再部１７３に管理ファイル化するよう指示する。また、管理データ制御部１４０は、ストリームデータ制御部１３０により配分されたストリームデータ群の関係を示す連結管理データを生成し、内蔵メモリ管理ファイル録再部１５２に連結管理ファイル化するよう指示する。
（１−２．本発明の構成との対応関係）
映像符号化部１１０は、本発明の符号化部の一例である。内蔵メモリ制御部１５１は、本発明の第１の媒体制御部の一例である。メモリカード制御部１６１は、本発明の第２の媒体制御部の一例である。ストリームデータ制御部１３０、内蔵メモリストリームファイル録再部１５３、及びメモリカードストリームファイル録再部１６３からなる構成は、本発明のデータ制御部の一例である。管理データ制御部１４０は、本発明の管理情報制御部の一例である。内蔵メモリ管理ファイル録再部１５２は、本発明の第１の管理情報制御部の一例である。メモリカード管理ファイル録再部１６２は、本発明の第２の管理情報制御部の一例である。ＤＶＤ制御部１７１は、本発明の第３の媒体制御部の一例である。ＤＶＤストリームファイル録再部１７３は、本発明の第３のデータ制御部の一例である。ＤＶＤ管理ファイル録再部１７２は、本発明の第３の管理情報制御部の一例である。
（２．動作）
（２−１．分割記録時の動作）
以下、本発明のビデオカメラ１００において、撮影した映像を内蔵メモリ１５０からメモリカード１６０に跨って記録する際の動作について、図２のフローチャートを用いて説明する。
【００２０】
ユーザが記録開始操作を実行すると（Ｓ２０）、光学系１０１、撮像素子１０２及びＡＤコンバータ１０３を介して撮像された動画映像は、映像符号化部１１０にてＭＰＥＧ圧縮され、ストリームデータがストリームメモリ１２０に逐次蓄積される。内蔵メモリ１５０にストリームデータを記録できる容量がある場合には、ストリームデータ制御部１３０は内蔵メモリストリームファイル録再部１５３にストリームデータのストリームファイル（Ｃｌｉｐ＃０）化を指示し、管理データ制御部１４０に通知する。そして、まず内蔵メモリ１５０にストリームファイルＣｌｉｐ＃０が記録される（Ｓ２１）。内蔵メモリ１５０の容量がなくなるまでは内蔵メモリ１５０に記録し続け、内蔵メモリ１５０の容量がなくなったと判断されると（Ｓ２２）、管理データ制御部１４０は、内蔵メモリ１５０に記録したストリームデータの再生可能範囲を抽出して、ストリームファイルＣｌｉｐ＃０の再生開始時刻および再生終了時刻をそれぞれ管理する管理データを生成し、内蔵メモリ管理ファイル録再部１５２に管理ファイル化するように指示し、内蔵メモリ管理ファイル録再部１５２は管理ファイルを内蔵メモリ１５０に記録する（Ｓ２３）。この際、設定する再生終了時刻は、内蔵メモリ１５０に記録したストリームファイルＣｌｉｐ＃０のみで再生できる範囲の末尾であるＧＯＰ（ｎ−１）のＰ１４の終了時刻とする。また、管理データ制御部１４０は、内蔵メモリ１５０に記録したストリームファイルＣｌｉｐ＃０とメモリカード１６０に継続して記録するストリームファイルＣｌｉｐ＃１とが元々連続したストリームデータであったことを示す連結管理データを生成し、内蔵メモリ管理ファイル録再部１５２に連結管理ファイル化するように指示し、内蔵メモリ管理ファイル録再部１５２は連結管理ファイルを内蔵メモリ１５０に記録する。
【００２１】
続いて、ストリームデータ制御部１３０は、続きのストリームデータをメモリカード１６０に継続して記録するため、メモリカードストリームファイル録再部１６３にストリームデータのストリームファイル（Ｃｌｉｐ＃１）化を指示し、管理データ制御部１４０に通知する。その際、管理データ制御部１４０がメモリカード１６０に記録するストリームデータの再生可能範囲を抽出し始め、ストリームファイルＣｌｉｐ＃１の再生開始時刻を設定する（Ｓ２４）。この際、設定する再生開始時刻は、メモリカード１６０に記録するストリームファイルＣｌｉｐ＃１のみで再生できる範囲の先頭であるＧＯＰ（ｎ）のＩ２の開始時刻とする。そして、メモリカード１６０に続きのストリームファイルの記録を開始する（Ｓ２５）。
【００２２】
以降、記録終了を受け付けるまで（Ｓ２６）、メモリカード１６０への記録を継続し、記録終了を受け付けたら記録を終了する（Ｓ２７）。
【００２３】
内蔵メモリ１５０及びメモリカード１６０の管理データを変更する理由について、図３を用いて、詳細に説明する。
【００２４】
映像符号化部１１０にてＭＰＥＧ圧縮されたストリームデータの各フレームデータは、他フレームの参照状態により３種類に分類される。他フレームを参照せずに自フレーム内のみで圧縮符号化したＩフレーム、過去の１フレームを参照して差分部分を圧縮符号化したＰフレーム、過去および未来の２フレームを参照して差分部分を圧縮符号化したＢフレームである。それらは１枚のＩフレームを含むＧＯＰと呼ばれるグループにてグループ化されている。
【００２５】
図３において、映像符号化部１１０にてＭＰＥＧ圧縮されたストリームデータは、各ＧＯＰが１５フレームで構成される。本実施の形態１では各ＧＯＰは１５フレームで構成されるとして説明するが、本発明はこれに限定されない。ＧＯＰ（ｎ−１）内のフレームは、表示順に・・・Ｐ８、Ｂ９、Ｂ１０、Ｐ１１、Ｂ１２、Ｂ１３、Ｐ１４である。ＧＯＰ（ｎ）内のフレームは、表示順にＢフレーム（Ｂ０）、Ｂフレーム（Ｂ１）、Ｉフレーム（Ｉ２）、Ｂ３、Ｂ４、Ｐフレーム（Ｐ５）、・・・である。Ｐフレームは直近過去のＩかＰを参照する。つまり、Ｐ５はＩ２を、Ｐ１４はＰ１１を参照している。Ｂフレームは直近過去のＩかＰ、および直近未来のＩかＰを参照する。つまり、Ｂ３はＩ２とＰ５を、Ｂ１３はＰ１１とＰ１４を、またＢ０は前ＧＯＰのＰ１４と自ＧＯＰのＩ２を参照している。参照しているということは、それらのフレームデータがないと復号できないということである。
【００２６】
このストリームデータを内蔵メモリ１５０およびメモリカード１６０に分割して記録する。その際、例えば、内蔵メモリ１５０側のストリームファイル（Ｃｌｉｐ＃０）にはＧＯＰ（ｎ−１）の最終フレームＰ１４の最終データまでを、メモリカード１６０側のストリームファイル（Ｃｌｉｐ＃１）にはそれ以降を記録するという分割点が考えられる。そのように分割すると、内蔵メモリ１５０単体で考えるとＣｌｉｐ＃０のみで再生（復号）できるフレームデータとしては、ＧＯＰ（ｎ−１）の最終フレームＰ１４までが再生できることになる。したがって、内蔵メモリ１５０単体で正常な再生を行うためには、Ｃｌｉｐ＃０の再生終了時刻をＧＯＰ（ｎ−１）のＰ１４に設定すればよい。
【００２７】
一方、メモリカード１６０単体について考えると、Ｃｌｉｐ＃１のみで再生（復号）できるフレームデータとしては、ＧＯＰ（ｎ）のＩ２からしか再生できない、つまり、Ｂ０およびＢ１は再生できないということになる。これは、Ｂ０およびＢ１がＣｌｉｐ＃１に存在しないＧＯＰ（ｎ−１）のＰ１４を参照しているからである。したがって、メモリカード１６０単体で正常な再生を行うためには、Ｃｌｉｐ＃１の再生開始時刻をＧＯＰ（ｎ）のＩ２に設定する必要がある。
【００２８】
なお、ＧＯＰ（ｎ−１）の最終フレームが例えばＰ１４ではなく、Ｂ１４であった場合には、Ｂ１２、Ｂ１３及びＢ１４は、Ｃｌｉｐ＃０に存在しないＧＯＰ（ｎ）のＩ２を参照する必要があり、フレームデータとしては再生できないため、内蔵メモリ１５０単体で正常な再生を行うためには、Ｃｌｉｐ＃０の再生終了時刻をＧＯＰ（ｎ−１）のＰ１１に設定する必要がある。
【００２９】
このように、内蔵メモリ１５０およびメモリカード１６０に分割して記録する際に、分割の前半部を記録する際には、管理データにおける再生終了時刻を、分割の後半部を記録する際には、管理データにおける再生開始時間を、それぞれフレームデータの種類に応じて適切に設定することにより、記録された映像データをそれぞれ単独で正常に再生することができる。
また、本実施の形態１では、ＧＯＰの途中ではなく、必ずＧＯＰの境界を跨ぐように記録することとしているが、本発明はこれに限定されない。ただ、必ずＧＯＰの境界を跨ぐように記録することにより、内蔵メモリ１５０およびメモリカード１６０にそれぞれ記録された映像データを単独で再生する際に、再生されない区間を最も少なくすることができる。
（２−２．結合時の動作）
内蔵メモリ１５０とメモリカード１６０に分割して記録されたストリームデータをＤＶＤ１７０に統合コピーする際の動作について、図４のフローチャートを用いて説明する。
【００３０】
ユーザの結合操作指示等によりコピーを開始すると（Ｓ４０）、まず、内蔵メモリ１５０に記録しているストリームファイルＣｌｉｐ＃０をＤＶＤ１７０にコピーする（Ｓ４１）。そのとき、ストリームデータ制御部１３０は、内蔵メモリストリームファイル録再部１５３に内蔵メモリ１５０からのストリームファイルＣｌｉｐ＃０の読み出しを指示し、ＤＶＤストリームファイル録再部１７３にストリームファイルＣｌｉｐ＃０のＤＶＤ１７０への記録を指示する。管理データ制御部１４０は内蔵メモリ管理ファイル録再部１５２にＣｌｉｐ＃０の管理ファイルおよび連結管理ファイルを内蔵メモリ１５０から読み出すように指示する。
【００３１】
続いて、連結管理ファイルの内容に従って、メモリカード１６０に記録しているストリームファイルＣｌｉｐ＃１をＤＶＤ１７０にコピーする（Ｓ４２）。そのとき、ストリームデータ制御部１３０は、メモリカードストリームファイル録再部１６３にメモリカード１６０からのストリームファイルＣｌｉｐ＃１の読み出しを指示し、ＤＶＤストリームファイル録再部１７３にストリームファイルＣｌｉｐ＃１のＤＶＤ１７０への記録を指示する。管理データ制御部１４０はメモリカード管理ファイル録再部１６２にＣｌｉｐ＃１の管理ファイルをメモリカード１６０から読み出すように指示する。
【００３２】
次に、管理データ制御部１４０は、ＤＶＤ１７０にコピーしたストリームファイルＣｌｉｐ＃０およびＣｌｉｐ＃１の再生可能範囲を抽出して、それぞれの再生開始時刻および再生終了時刻を管理する管理データを生成し、ＤＶＤ管理ファイル録再部１７２に管理ファイル化するように指示する。ＤＶＤ管理ファイル録再部１７２は管理ファイルをＤＶＤ１７０に記録する（Ｓ４３）。この際、設定する再生開始時刻および再生終了時刻は、ＤＶＤ１７０にコピーしたストリームファイルＣｌｉｐ＃０およびＣｌｉｐ＃１の両方が存在しているという条件で再生できる範囲に設定できるので、ストリームファイルＣｌｉｐ＃０の再生終了時刻はＧＯＰ（ｎ−１）のＰ１４の終了時刻、ストリームファイルＣｌｉｐ＃１の再生開始時刻はＧＯＰ（ｎ）のＢ０の開始時刻を設定する。
【００３３】
これらの処理が終了すると、コピーを終了する（Ｓ４４）。
【００３４】
ＤＶＤ１７０の管理データの再生終了時刻及び再生開始時刻を変更する理由について、図５を用いて、さらに詳細に説明する。
【００３５】
記録時に内蔵メモリ１５０およびメモリカード１６０に分割したストリームデータをＤＶＤ１７０にコピーしたときを考えると、Ｃｌｉｐ＃０およびＣｌｉｐ＃１の両方が同じＤＶＤ１７０に存在することになるため、ＤＶＤ１７０単体で考えた場合であっても、Ｃｌｉｐ＃１のＧＯＰ（ｎ）のＢ０およびＢ１が参照しているＣｌｉｐ＃０のＧＯＰ（ｎ−１）のＰ１４が存在することになるので、Ｃｌｉｐ＃１の再生開始時刻をＧＯＰ（ｎ）のＢ０に設定することができる。この際、Ｃｌｉｐ＃１の再生開始時刻を、ＧＯＰ（ｎ）のＩ２のままにしておくと、再生時にＢ０及びＢ１のフレームが再生されず、一部のフレームが欠落して再生される。このように、Ｃｌｉｐ＃１の再生開始時刻をＧＯＰ（ｎ）のＢ０に変更することで、Ｃｌｉｐ＃０とＣｌｉｐ＃１を連続して再生した場合には、欠落のない連続再生が可能となる。
【００３６】
以上のように、結合時には、結合の前半部では管理データの再生終了時刻を、結合の後半部では管理データの再生開始時間を、それぞれフレームデータの種類に応じて適切に変更することにより、結合した映像を連続して再生した場合に、欠落のない連続再生が可能となる。
（その他の実施の形態）
以上により、本発明の実施の形態として、実施の形態１を説明した。しかし、本発明は、これには限定されない。そこで、本発明の他の実施の形態を本欄にまとめて説明する。
【００３７】
本実施の形態１では、第１の記録媒体として内蔵メモリを、第２の記録媒体としてメモリカードを、第３の記録媒体としてＤＶＤを用いる形態について説明したが、本発明はこれに限定されない。第１の記録媒体、第２の記録媒体及び第３の記録媒体は、それぞれ内蔵半導体メモリ、内蔵ハードディスク、メモリカード、ＤＶＤ、ＢＤ（Ｂｌｕ−ｒａｙ）ディスク等のいずれであってもよい。また、本実施の形態１では、第１の記録媒体、第２の記録媒体及び第３の記録媒体は、それぞれ異なる種類の記録媒体を用いる形態について説明したが、本発明がこれに限定されず、３つの記録媒体の全て、またはそのうちの２つの記録媒体が同じ記録媒体を用いる形態であってもよく、例えば第１の記録媒体、第２の記録媒体及び第３の記録媒体が全て内蔵半導体メモリを用いる形態であってもよい。
【００３８】
本実施の形態１では、第３の記録媒体は、第１の記録媒体及び第２の記録媒体とは異なる記録媒体を用いる形態について説明したが、本発明はこれに限定されず、第３の記録媒体を設けずに、結合後のデータを記録媒体に記録せずに再生のみを行う形態であってもよいし、結合後のデータを第１の記録媒体又は第２の記録媒体の何れかに記録する形態であってもよい。結合後のデータを第１の記録媒体又は第２の記録媒体の何れかに記録する場合には、結合前のデータをそのまま残しておいてもよいし、結合後のデータを記録する際に、結合前のデータを消去してもよい。
【００３９】
本実施の形態１では、ビデオカメラに適用した場合について説明したが、本発明はこれに限定されず、外部から映像データが入力され、その映像データを複数の記録媒体に記録する装置に適用することができ、例えば複数の記録媒体に対応したビデオレコーダ等に適用することができる。
【００４０】
本実施の形態１では、内蔵メモリ１５０がフルの時に、その後の映像データをメモリカード１６０に記録する形態について説明したが、本発明はこれに限定されず、内蔵メモリ１５０の空き容量が所定の容量に達した際に、それ以上は内蔵メモリ１５０に記録せず、メモリカード１６０に記録を切り替える形態であってもよい。すなわち、映像データの記録先を変更し、分割するタイミングは、どのような条件であってもよい。
【００４１】
本実施の形態１では、映像データを分割して２つの記録媒体に記録する形態について説明したが、本発明はこれに限定されず、映像データを３以上に分割し、分割したデータを、それぞれ異なる記録媒体に記録してもよい。
【産業上の利用可能性】
【００４２】
本発明の映像記録装置は、複数の記録媒体に記録された映像データを個別に再生する場合に、それぞれの映像データは映像圧縮の規格に適合するとともに、それらを連続して再生および結合させる際に、欠落時間が生じずシームレスに復元することができ、ビデオカメラ、ビデオレコーダ等に適用することができ、有用である。
【図面の簡単な説明】
【００４３】
【図１】本発明の一実施の形態におけるビデオカメラの構成を示すブロック図
【図２】本発明の一実施の形態における分割記録時の動作を示すフローチャート
【図３】本発明の一実施の形態における分割記録時のフレームの構成を説明する図
【図４】本発明の一実施の形態における結合時の動作を示すフローチャート
【図５】本発明の一実施の形態における結合時のフレームの構成を説明する図
【符号の説明】
【００４４】
１００    ビデオカメラ
１０１    光学系
１０２    撮像素子
１０３    ＡＤコンバータ
１１０    映像符号化部
１２０    ストリームメモリ
１３０    ストリームデータ制御部
１４０    管理データ制御部
１５０    内蔵メモリ
１５１    内蔵メモリ制御部
１５２    内蔵メモリ管理ファイル録再部
１５３    内蔵メモリストリームファイル録再部
１６０    メモリカード
１６１    メモリカード制御部
１６２    メモリカード管理ファイル録再部
１６３    メモリカードストリームファイル録再部
１７０    ＤＶＤ
１７１    ＤＶＤ制御部
１７２    ＤＶＤ管理ファイル録再部
１７３    ＤＶＤストリームファイル録再部
１７５    外部ＤＶＤ装置
【図１】
2012074756.tif 000003
【図２】
2012074756.tif 000004
【図３】
2012074756.tif 000005
【図４】
2012074756.tif 000006
【図５】
2012074756.tif 000007